(57)【特許請求の範囲】
【請求項１】
上部に平坦面を有すると共に、前記上部平坦面の下側に設置され、下方側が開口する開口部を設けた係止部を備え、携帯可能に形成されたステップと、
前記ステップを装着する装着対象物に備えられ、前記開口部に係止する軸部、前記軸部に前記係止部の肉厚分の間隙を有して配置された、前記平坦面を上向きに位置決め保持する位置決め部及び頭部を備えたステップ係止ボルトと
を有するステップ着脱構造。
【請求項２】
前記ステップは、前記頭部に下方から係止して前記ステップの上方への移動を阻止するロック金具を有する請求項１に記載のステップ着脱構造。
【請求項３】
前記ステップは、ステップ装着時に、前記頭部に塞がれない位置に形成された、前記頭部から前記頭部外側に延びる長孔からなり、前記頭部の下方に、前記ロック金具を係止保持するための凹部を有する請求項１または２に記載のステップ着脱構造。
【請求項４】
前記位置決め部は、前記係止部の両側壁部の内面に接触する、略平行する２つの端面を有する矩形状板体により形成されている請求項１から３のいずれか一項に記載のステップ着脱構造。
【請求項５】
前記頭部は、裏面から表面にかけて斜めに切り落とされ、裏面側が尖端となる傾斜面を有する請求項１から４のいずれか一項に記載のステップ着脱構造。
【発明の詳細な説明】
【技術分野】
【０００１】
この発明は、ステップ着脱構造に関し、特に、鉄塔等を昇降する際に使用するステップを離脱自在に取り付けることができるステップ着脱構造に関する。
【背景技術】
【０００２】
従来、鉄塔等を昇降する際は、鉄塔等に装着されたステップボルトを足場として使用している。このステップボルトは、ボルトの一端のネジ部を鉄塔等に開けたネジ穴に螺着することにより、鉄塔等に略水平に取り付け固定される。
鉄塔等の昇降は、例えば、送電線等を支持する鉄塔の場合、定期的に行われる保守点検の際に必要となるが、定期点検の他、巡回視察時における接近木の離隔確認、伐採調査、各種の補修工事等の際にも必要となり、１本の鉄塔について略年１回以上の頻度で行われる。
【０００３】
このような、鉄塔等を昇降する際に用いるステップとして、例えば、「ステップ付き昇塔防止金具」（特許文献１参照）が知られている。
この「ステップ付き昇塔防止金具」は、ボルト固定用穴に挿入することで鉄塔昇降用の足場となるボルトであって、一端付近にねじ穴を有する足場ボルトと、この足場ボルトのねじ穴部位をボルト配置用の開口から足場受けに配置し、ボルト固定用穴を介してその足場ボルトのねじ穴にねじこむことで、その足場ボルトをパイプに略平行に固定する固定ボルトとを有する。また、パイプ鉄塔の柱であるパイプに略平行に固定した足場ボルトを覆い隠すように昇降防止金具を設ける。
【特許文献１】特開２０００−２７４９１号公報
【発明の開示】
【発明が解決しようとする課題】
【０００４】
しかしながら、従来の鉄塔等の昇降に際し使用するステップボルトは、鉄塔等の設置場所の地上から１．８ｍ以下については、公衆保安対策により昇降を阻止するために鉄塔等から撤去されており、昇降の都度、取り付け及び取り外しが必要となる。これは、「ステップ付き昇塔防止金具」においても同様であり、足場受けのボルト固定用穴に足場ボルトを通し、その後、ナットで締め付け固定する必要があった。
【０００５】
このステップボルト（足場ボルト）の取り付け及び取り外しには、例えば、必要とする２本の取り付けと取り外しにそれぞれ約６０秒かかかるとして、一回の昇降時に約２分（約６０秒×２回）を要していた。この時間は、鉄塔等の昇降時には必ず必要になるので、鉄塔等の数が多くなれば多くの時間が費やされることになり、削減することが求められている。
特に、墜落防止装置を取り付けた鉄塔等においては、墜落防止装置を鉄塔等に固定する固定金具を、ステップボルト用のネジ穴を使用して取り付けていたため、ステップボルト（足場ボルト）を取り付けることができなかった。このため、昇降に際しての足場が確保し難く、補助部材を伝って昇降せざるを得なくなり、そのための技術を必要とするばかりか、無理な姿勢での昇降を強いられていた。
【０００６】
また、山間地における普通巡視を行う場合は、１日に約１０基もの鉄塔等を昇降することになるため、着脱操作が簡単で十分な安全強度を備えた軽量コンパクトな足場となるステップの開発が望まれている。
この発明の目的は、持ち運びが容易で鉄塔等への着脱が簡単に、且つ、短時間でできると共に、昇降時の十分な安全強度を備えたステップ着脱構造を提供することである。
【課題を解決するための手段】
【０００７】
上記目的を達成するため、この発明に係るステップ着脱構造は、上部に平坦面を有すると共に、前記上部平坦面の下側に設置され、下方側が開口する開口部を設けた係止部を備え、携帯可能に形成されたステップと、前記ステップを装着する装着対象物に備えられ、前記開口部に係止する軸部、前記軸部に前記係止部の肉厚分の間隙を有して配置された、前記平坦面を上向きに位置決め保持する位置決め部及び頭部を備えたステップ係止ボルトとを有している。
【発明の効果】
【０００８】
この発明によれば、ステップ着脱構造は、携帯可能に形成されたステップと、ステップを装着する装着対象物に備えられたステップ係止ボルトにより構成され、ステップは、上部に平坦面を有すると共に、上部平坦面の下側に設置され、下方側が開口する開口部を設けた係止部を備えており、ステップ係止ボルトは、開口部に係止する軸部、軸部に係止部の肉厚分の間隙を有して配置された、平坦面を上向きに位置決め保持する位置決め部及び頭部を備えている。このため、持ち運びが容易で鉄塔等への着脱が簡単に、且つ、短時間でできると共に、昇降時の十分な安全強度を備えることができる。
【発明を実施するための最良の形態】
【０００９】
以下、この発明を実施するための最良の形態について図面を参照して説明する。
図１は、この発明の一実施の形態に係るステップ着脱構造を示し、（ａ）は一部破断した斜視説明図、（ｂ）はステップ突出端側から見た説明図である。図１に示すように、この発明に係るステップ着脱構造は、鉄塔等の昇降時に足場となるステップ１０と、鉄塔等に固着されるステップ係止ボルト１１を有しており、ステップ１０をステップ係止ボルト１１に装着することで、ステップ１０を鉄塔等に容易に取り付け固定し或いは取り外すことができる。
【００１０】
ステップ１０が取り付けられる鉄塔等としては、例えば、送電線等を支持する鉄塔や鉄柱、或いは高張力鋼板を材料とした管状の各構成部材を継ぎ合わせて１本の柱にした鋼板組立柱であるパンザーマストがある。この鉄塔等には、足場用のボルト（例えば、ステップボルト）を取り付けるネジ穴が開けられている。なお、墜落防止装置を取り付けた鉄塔等においては、墜落防止装置に、同様のネジ穴が開けられている。
ステップ１０は、足を載せる面となるステップ部１２、ステップ部１２の下端両側の側壁部１３，１３、及びステップ部１２の一端側下方に位置する係止部１４を備えた（（ａ）参照）、大略下向きコ字状となる形状（（ｂ）参照）を有している。これらステップ部１２と両側壁部１３，１３は、例えば、板体を屈曲して形成することができる。
【００１１】
ステップ部１２は、上面が長方形状の平坦面を有し、平坦面には、長手方向に沿って複数個（一例として、３個を図示）の、滑り止め及び軽量化に資する丸穴１２ａが開けられている。側壁部１３は、ステップ部１２の一端（係止部１４側端）側の下方幅が他端側の下方幅より広い、略直角三角形状を有しており、一方の側壁部１３の係止部１４の近傍には、ロック金具１５を装着するための金具装着孔１６が開けられている。
【００１２】
ロック金具１５は、金具装着孔１６内を自由に移動することができる太さのリング状に形成されており、金具装着孔１６に、着脱自在に装着されている。金具装着孔１６は、ステップ係止ボルト１１にステップ１０を装着した際に、ステップ係止ボルト１１の後述する頭部１７に塞がれない位置に形成された、頭部１７から頭部１７外側に延びる長孔からなり、一端（係止部１４側端）、即ち、頭部１７の下方には、ロック金具１５を係止保持するための凹部１６ａを有している。
【００１３】
係止部１４は、中央に、下方側が開口する下向きＵ字状の開口部１４ａを有する（（ａ），（ｂ）参照）板体からなり、下端面を除く上・両側の各端面がステップ部１２と両側壁部１３，１３に取り付けられている。取り付けに際し、係止部１４がステップ部１２に対し略直交するように、且つ、両側壁部１３の一端（係止部１４側端）から、後述する位置決め部１９の肉厚分離間した位置に、位置決め固定される。この開口部１４ａに後述する軸部１８が係止することにより、ステップ１０を、ステップ係止ボルト１１に係止固定することができる（（ｂ）参照）。
【００１４】
図２は、図１のステップ係止ボルトの斜視図である。図２に示すように、ステップ係止ボルト１１は、略六角形状の頭部１７と、ネジを切った軸部１８を有しており、軸部１８には、頭部１７との間に係止部１４の略肉厚分の間隙ａを有して、位置決め部１９が形成されている。頭部１７は、六角形平面の直径の略１／３分が、裏面から表面にかけて斜めに切り落とされており、裏面側が尖端となる傾斜面１７ａを有している。
【００１５】
位置決め部１９は、例えば、四角ナット（厚さ約８ｍｍ）等の、略平行する２つの端面を有する矩形状板体からなり、略平行する２つの端面１９ａ（他方、図示せず）が係止部１４の両側壁部１３，１３の内面に接触する（図１参照）ことにより、係止部１４を、軸部１８の周りに回転しないように位置決め固定することができる、形状及び厚みに形成されている。位置決め部１９を、略正方形の板体にすることで、ステップ１０の装着時、ステップ１０と位置決め部１９は左右両面で接触することになり、装着したステップ１０がガタ付くことを防止することができる。
【００１６】
このステップ係止ボルト１１は、ステップボルトを取り付けるために鉄塔の主脚Ｌ等に開けられたネジ穴に補助部材２０をネジ止めし、補助部材２０に開けた孔に軸部１８を通した後、ナット２１を螺着することにより、位置決め部１９から頭部１７迄が外側に露出するように、補助部材２０に固定することができる。この際、ステップ係止ボルト１１は、頭部１７の傾斜面１７ａが上を向き、且つ、位置決め部１９の両端面１９ａ，１９ａが略垂直に位置する所定位置に、位置決め固定される（図１参照）。
【００１７】
従って、鉄塔等には、予め、ステップ係止ボルト１１が装着されており、補助部材２０から位置決め部１９及び頭部１７が突出しているが、補助部材２０からの突出量である出巾は約２２ｍｍに抑えることができるので、これを足掛けとして登るのは困難である。その上、頭部１７は傾斜面１７ａが上端に位置しているため、足掛けとすることができず、出巾は８ｍｍ＋αに過ぎなくなるので、鉄塔等に装着されているステップ係止ボルト１１を用いて鉄塔等に登ることを防止することができる。
なお、所定位置に位置決め固定することが可能ならば、補助部材２０を用いずに、直接、鉄塔等に開けられたネジ孔に取り付けても良い。
【００１８】
このように、ステップ１０とステップ係止ボルト１１は、別体に形成されており、ステップ１０は、ステップ係止ボルト１１に工具等を用いることなく自在に着脱することができる。このため、複数の鉄塔等に昇塔する場合、ステップ１０のみを携帯して、昇塔対象の鉄塔等に昇塔時に装着することにより、安全、且つ、容易に昇塔することができ、降塔後は、ステップ１０を取り外して、次の昇塔対象の鉄塔等迄、ステップ１０のみを携帯すればよい。
【００１９】
図３は、図１のステップをステップ係止ボルトに装着する際の手順を示し、（ａ）は差し込み時の説明図、（ｂ）は固定時の説明図、（ｃ）はロック時の説明図である。図３に示すように、先ず、携帯したステップ１０をステップ部１２を上に向けて片手で持ち、補助部材２０（図１参照）から突出している、ステップ係止ボルト１１の頭部１７の上方に位置させる。このとき、ロック金具１５を、金具装着孔１６の手前側、即ち、ステップ部１２の他端（係止部１４側とは反対側の端）側に位置するように保持しておく（図３（ａ）参照）。
【００２０】
次に、ステップ１０を下方移動（図中、矢印参照）させて、係止部１４が頭部１７と位置決め部１９の間に設けた間隙に入り込み、開口部１４ａに軸部１８がはまり係止部１４が軸部１８に跨るように、上方から差し込んでステップ係止ボルト１１に装着する（図１（ｂ）参照）。このとき、ロック金具１５は保持したままである（図３（ｂ）参照）。ステップ係止ボルト１１に装着されたステップ１０は、ステップ部１２を上に向けた状態で、ガタ付くこと無く固定保持される。
【００２１】
次に、保持していたロック金具１５を手から離して、ロック金具１５を、金具装着孔１６の凹部１６ａに位置させる。ロック金具１５が凹部１６ａに位置することで、ロック金具１５は、ステップ係止ボルト１１の頭部１７下方に位置決め保持される（図１（ｂ）、図３（ｃ）参照）。このため、ステップ１０の上方移動は、頭部１７に下方から係止するロック金具１５により阻止されることになり、上方移動が阻止されたステップ１０は、ステップ係止ボルト１１から外れることが無い。従って、下方から蹴り上げたとき等にステップ１０が外れてしまうのを防止することができる。
【００２２】
図４は、ステップ係止ボルトの他の固定方法を示し、（ａ）はステップ装着状態の側面図、（ｂ）は取り付け状態の側面図である。図４に示すように、ステップ係止ボルト１１をパンザーマスト２２に固定する場合、パンザーマスト２２の外表面に、溶接等により取り付け固定したボルト受け部材２３を用いる（（ａ）参照）。ボルト受け部材２３は、パンザーマスト２２外表面との間に、ステップ係止ボルト１１を固定するナット２１の装着空間を確保することができるように、例えば、凸形状に板体を折り曲げて形成されており、凸面には、ステップ係止ボルト１１の軸部１８を通す孔（図示しない）が開けられている（（ｂ）参照）。このボルト受け部材２３へのステップ係止ボルト１１の取り付けは、上述した補助部材２０に取り付ける場合と同様であるが、軸部１８の長さは、必要に応じて調整する。
【００２３】
上述したように、ステップ１０とステップ係止ボルト１１からなるステップ着脱構造は、ステップ１０を上部からステップ係止ボルト１１に差し込むだけのワンタッチで、ステップ係止ボルト１１に固定することができ、加えて、ロック金具１５により、ステップ係止ボルト１１からのステップ１０の抜け落ちを防止することができる。
また、ステップ１０は、重量を、従来のステップボルト（約３６０ｇ）の略半分にすることができ、十分な強度を確保した上で大幅な軽量化を図ることができる。更に、ステップ係止ボルト１１は、従来の出巾３０ｍｍ程度に対し、頭部１７の先端カットにより約８ｍｍ＋αとなり、ステップ係止ボルト１１を使っての昇降を困難にした。
【００２４】
また、出願人において、現在、昇塔対象となる鉄塔等は約４６，０００基あり、伐採調査や巡視点検或いは補修等により年１回の頻度で昇塔するとすれば、１基当たり略２分の短縮効果により、延べ２００人日／年の効率化と格段の安全性向上を図ることができる。
このステップ着脱構造は、昇降用具が付かない箇所における昇塔を可能にしたものであり、ステップ１０は、重量が略１／２になる軽量化、ワンタッチ装着による操作性、及び外れ防止機能による安全性を満たしている。従って、容易に携帯することができる上に、安定した足場作業が可能になり、鉄塔等の昇降時の安全確保と作業時間の効率化の両立を図ることができる。
【００２５】
このように、この発明によれば、ステップ着脱構造は、携帯可能に形成されたステップと、ステップを装着する装着対象物に備えられたステップ係止ボルトにより構成され、ステップは、上部に平坦面を有すると共に、上部平坦面の下側に設置され、下方側が開口する開口部を設けた係止部を備えており、ステップ係止ボルトは、開口部に係止する軸部、軸部に係止部の肉厚分の間隙を有して配置された、平坦面を上向きに位置決め保持する位置決め部及び頭部を備えているため、持ち運びが容易で鉄塔等への着脱が簡単に、且つ、短時間でできると共に、昇降時の十分な安全強度を備えることができる。
【図面の簡単な説明】
【００２６】
【図１】この発明の一実施の形態に係るステップ着脱構造を示し、（ａ）は一部破断した斜視説明図、（ｂ）はステップ突出端側から見た説明図である。
【図２】図１のステップ係止ボルトの斜視図である。
【図３】図１のステップをステップ係止ボルトに装着する際の手順を示し、（ａ）は差し込み時の説明図、（ｂ）は固定時の説明図、（ｃ）はロック時の説明図である。
【図４】ステップ係止ボルトの他の固定方法を示し、（ａ）はステップ装着状態の側面図、（ｂ）は取り付け状態の側面図である。
【符号の説明】
【００２７】
１０  ステップ
１１  ステップ係止ボルト
１２  ステップ部
１２ａ  丸穴
１３  側壁部
１４  係止部
１４ａ  開口部
１５  ロック金具
１６  金具装着孔
１６ａ  凹部
１７  頭部
１７ａ  傾斜面
１８  軸部
１９  位置決め部
１９ａ  端面
２０  補助部材
２１  ナット
２２  パンザーマスト
２３  ボルト受け部材
ａ  間隙
Ｌ  主脚
【図１】
0004749149.tif 000002
【図２】
0004749149.tif 000003
【図３】
0004749149.tif 000004
【図４】
0004749149.tif 000005